(57)【要約】【課題】ガラス基板を複数枚積層した積層体を研磨した際に、各ガラス基板の端面を加工ばらつきなくそれぞれ均一に平坦化することができる電子機器用カバーガラスのガラス基板の製造方法を提供する。【解決手段】本発明の電子機器用カバーガラスのガラス基板の製造方法は、電子機器用カバーガラスの形状のガラス基板１００を厚さ方向に複数枚積層する積層工程と、積層工程で得られたガラス基板１００の積層体１１０の側面を研磨する研磨工程とを有し、研磨工程では、弾性変形可能な研磨基体２０２と、研磨基体２０２の表面に設けられ研磨基体２０２とともに変形可能な研磨パッド２０４とを有する研磨具２００を用いて、積層体１１０の側面をなす複数枚のガラス基板１００の端面に対して、研磨パッド２０４を介して研磨基体２０２を当接させ、研磨基体２０２を回転させながら該端面を研磨する。【選択図】図３
2015063413.tif 000002
【特許請求の範囲】
【請求項１】
１枚のガラス素板から得られ、厚さ方向での断面視で側方を向いた凸部が端面に形成された電子機器用カバーガラスの形状のガラス基板を厚さ方向に複数枚積層する積層工程と、
前記積層工程で得られた前記ガラス基板の積層体の側面を研磨する研磨工程と
を有し、
前記研磨工程では、弾性変形可能な研磨基体と、前記研磨基体の表面に設けられ前記研磨基体とともに変形可能な研磨パッドとを有する研磨具を用いて、前記積層体の側面をなす複数枚の前記ガラス基板の端面に対して、前記研磨パッドを介して前記研磨基体を当接させ、前記研磨基体を回転させながら前記端面を研磨することを特徴とする電子機器用カバーガラスのガラス基板の製造方法。
【請求項２】
前記研磨基体が、可撓性を有し内部に導入される流体圧によって所定の円柱形に変形されるバルーン部材であり、前記研磨具が、該バルーン部材の円柱形の側面に前記研磨パッドを貼着したものであることを特徴とする請求項１に記載の電子機器用カバーガラスのガラス基板の製造方法。
【請求項３】
前記積層工程において、前記ガラス基板を複数枚積層して厚さ方向の両端から厚さ方向の中心に向けて付勢することによって、前記積層体をなすものであることを特徴とする請求項１または２に記載の電子機器用カバーガラスのガラス基板の製造方法。
【請求項４】
前記研磨具を複数用いて、複数方向から同時に前記ガラス基板の端面を研磨することを特徴とする請求項１から３のいずれか１項に記載の電子機器用カバーガラスのガラス基板の製造方法。
【請求項５】
前記ガラス基板の表面に耐エッチング層を有した状態で前記研磨具を用いて研磨することを特徴とする請求項１から４のいずれか１項に記載の電子機器用カバーガラスのガラス基板の製造方法。
【請求項６】
粗研磨用の前記研磨具を用いて粗研磨した後、仕上げ研磨用の前記研磨具を用いて仕上げ研磨することを特徴とする請求項１から５のいずれか１項に記載の電子機器用カバーガラスのガラス基板の製造方法。
【発明の詳細な説明】
【技術分野】
【０００１】
本発明は、携帯機器（携帯型電子機器）の表示画面のカバー部材として用いられる携帯機器用カバーガラスと、タッチセンサのカバー部材として用いられるタッチセンサ用カバーガラスとを含む電子機器用カバーガラスのガラス基板の製造方法に関する。
【背景技術】
【０００２】
スマートフォンを含む携帯電話や、スレートＰＣ（Personal Computer）や、ＰＤＡ（Personal Digital Assistant）などの携帯機器では、液晶などの表示装置を保護するために、表示装置の外側にカバーガラスが配置される。また、タッチセンサにおいても、センサー基板を保護するためにカバーガラスが配置される。
【０００３】
一般に、カバーガラスは、大きい一枚板のガラス素板から任意の形状のガラス基板を分離させ、この分離させたガラス基板にさらに印刷などの加工をすることにより製造される。ガラス素板からガラス基板を分離させる方法としては、機械加工だけでなく、エッチング処理を用いた方式が知られている。
【０００４】
特許文献１では、レジストパターンを主表面に形成したガラス素板をエッチング処理して、ガラス素板から所望の形状のガラス基板を分離させている。特許文献１では、このようにエッチング処理で外形を形成することにより、端面は鏡面となって非常に高い平滑性を有し、機械加工では必ず生じるマイクロクラックが生じないと述べている。また、機械加工では困難な複雑な形状であっても、エッチング処理であれば容易に加工することができるという利点もあると述べている。
【０００５】
特許文献２では、板状のガラス基板の主表面に形成したレジストパターンをマスクとして、ガラス基板を第１エッチングすることにより所望の形状に切り抜いてガラス基材を得た後、さらにガラス基材の厚さ方向の流れを持つエッチャント中でガラス基材を第２エッチングしている。特許文献２ではこのようにして端面に突出する尖り部分を低減し、機械的強度が高いガラス基材を得ることができると述べている。
【０００６】
特許文献３では、多数の素材板ガラスを、剥離可能な固着材を介して一体的に積み重ねてなる素材ガラスブロックを設け、該素材ガラスブロックを分割して小面積の分割ガラスブロックを形成し、平坦な研磨面を有する回転研磨盤により分割ガラスブロックの端面を研磨した後、該端面を外周に多数の可撓性のブラシ材を放射状に設けた回転ブラシにより研磨して各分割板ガラスの縁部を面取りしている。特許文献３ではこのようにして、多数のガラス板を一括研磨し、生産性を向上させられると述べている。
【先行技術文献】
【特許文献】
【０００７】
【特許文献１】特開２００９−１６７０８６号公報
【特許文献２】特開２００９−２２７５２３号公報
【特許文献３】特開２０１０−２６９３８９号公報
【発明の概要】
【発明が解決しようとする課題】
【０００８】
しかしながら、特許文献１の製造方法では、ガラス基板の端面形状は完全に平坦ではなく、エッチング分離特有の尖り形状が発生していた。特許文献２の製造方法では、ガラス基板の端面の尖り形状の尖り高さは低減されても、その形状は縮小した形で残ってしまっていた。
【０００９】
ここで、特許文献１の製造方法でエッチング成形した後に、ガラス基板の端面を回転砥石を用いて機械研磨することも可能である。しかしながら機械研磨では１枚ずつ研磨を行わなくてはならないため（枚葉研磨）、生産性が低いという問題がある。また複雑な形状データを入力し、精密な加工装置を用いて研磨を行う必要があり、この点においても生産性が低くなってしまう。
【００１０】
また、特許文献３に記載されているように、生産性を上げるために積層してブラシによって一括研磨することも考えられる。しかし、エッチング処理によって外形加工をしたガラス基板は、端面に尖り形状が形成されるために外形の寸法精度が不安定である。またガラス基板の端面には、残留した耐エッチング層の端が突出している。これらのことから、複数枚のガラス基板を積層したとき正確な位置合わせが困難であり、ガラス基板同士が少しずつずれた状態で積層される。これをブラシ研磨すると積層体の表面を全体的に研磨することから、あるガラス基板において突出した側の端面は研磨過剰となり、引っ込んだ側の端面は研磨不足になる。すなわち端面ごとに研磨の程度が異なってしまい、加工ばらつきが生じてしまうという問題がある。
【００１１】
そこで本発明は、ガラス基板を複数枚積層した積層体を研磨した際に、各ガラス基板の端面を加工ばらつきなくそれぞれ均一に平坦化することができる電子機器用カバーガラスのガラス基板の製造方法を提供することを目的としている。
【課題を解決するための手段】
【００１２】
上記課題を解決するために、本発明にかかる電子機器用カバーガラスのガラス基板の製造方法の代表的な構成は、１枚のガラス素板から得られ、厚さ方向での断面視で側方を向いた凸部が端面に形成された電子機器用カバーガラスの形状のガラス基板を厚さ方向に複数枚積層する積層工程と、積層工程で得られたガラス基板の積層体の側面を研磨する研磨工程とを有し、研磨工程では、弾性変形可能な研磨基体と、研磨基体の表面に設けられ研磨基体とともに変形可能な研磨パッドとを有する研磨具を用いて、積層体の側面をなす複数枚の前記ガラス基板の端面に対して、研磨パッドを介して研磨基体を当接させ、研磨基体を回転させながら当該端面を研磨することを特徴とする。
【００１３】
上記構成によれば、複数のガラス基板の積層体を一括研磨する際に、研磨基体および研磨パッドが弾性変形し、積層体の側面の形状に倣う（追随する）ため、積層体の各ガラス基板の端面の凸部（頂部）に均等に研磨作用が生じる。したがって、ガラス基板を複数枚積層した積層体を研磨した際に、各ガラス基板の端面を加工ばらつきなくそれぞれ均一に平坦化することができる。また、研磨基体が弾性変形可能であることから、研磨による取代は研磨具の位置ではなく、研磨具の積層体に対する圧力によって制御される。このため積層体と研磨具の回転軸との距離に厳密な位置関係は不要であり、制御を容易にすることができるため、生産性を向上させることができる。
【００１４】
研磨基体は、可撓性を有し内部に導入される流体圧によって所定の円柱形に変形されるバルーン部材であり、前記研磨具が、該バルーン部材の円柱形の側面に前記研磨パッドを貼着したものが好ましい。
【００１５】
この場合、バルーン部材が可撓性を有するとともに流体圧による形状保持力を有するため、バルーン部材に貼着された研磨パッドは積層体の各ガラス基板の端面に対し、一定圧力で当接する。これにより、各ガラス基板の端面の尖り高さの大きい部分ほど付勢圧力が大きくなり、各ガラス基板の端面の特有の尖り形状に追随して、尖り高さの大きい部分から優先して均一に研磨することができる。また、研磨の量（研磨速度）が圧力によって調整されることから、積層体の側面での形状に倣って端面を研磨でき、ガラス基板と研磨具の回転軸との距離に厳密な位置関係は不要である。
【００１６】
積層工程において、ガラス基板を複数枚積層して厚さ方向の両端から厚さ方向の中心に向けて付勢することによって、積層体をなすことが好ましい。この場合、厚さ方向の両端から付勢することで複数枚のガラス基板がまとまった積層体をなし、研磨工程終了後に、その付勢を解除すれば、当該積層体は複数枚のガラス基板に分離する。そのため、接着や剥離を行う工程が必要なくなる。したがって、ガラス基板の積層と積層したガラス基板の分離を容易に行うことができる。
【００１７】
研磨具を複数用いて、複数方向から同時にガラス基板の端面を研磨することが好ましい。これにより、研磨時間を短縮することができる。
【００１８】
ガラス基板の表面に耐エッチング層を有した状態で研磨具を用いて研磨することが好ましい。これにより、ガラス基板の表面が耐エッチング層によって保護されていることから、端面を研磨する工程においてガラス基板の表面に傷がつくことを防止することができる。
【００１９】
粗研磨用の研磨具を用いて粗研磨した後、仕上げ研磨用の研磨具を用いて仕上げ研磨することが好ましい。これにより、ガラス基板の端面の表面をより円滑に研磨することができる。
【発明の効果】
【００２０】
本発明によれば、ガラス基板を複数枚積層した積層体を研磨した際に、各ガラス基板の端面を加工ばらつきなくそれぞれ均一に平坦化することができる。
【図面の簡単な説明】
【００２１】
【図１】ガラス素板に対し、上方および下方からエッチングすることにより、エッチング分離したガラス基板の部分断面図である。
【図２】ガラス基板の積層工程において、積層体を形成する過程を説明する図である。
【図３】研磨具によりガラス基板の積層体を研磨する様子を説明する側面図である。
【図４】図３の研磨する様子を説明する平面図である。
【図５】ガラス基板の積層体が研磨されていく過程を示す部分断面図である。
【図６】粗研磨用の研磨具と仕上げ研磨用の研磨具を用いて、複数方向から同時に積層体を研磨する様子を説明する側面図である。
【図７】図６の研磨する様子を説明する平面図である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
図１はガラス基板１００を説明する図である。ガラス基板１００の外周は、一般的には略矩形状である。ガラス基板１００は、例えば携帯端末の表示画面を保護する電子機器用カバーガラスとして用いられるものである。電子機器用カバーガラスには、携帯機器（携帯型電子機器）の表示画面のカバー部材として用いられる携帯機器用カバーガラスと、タッチセンサのカバー部材として用いられるタッチセンサ用カバーガラス、および筐体に着脱自在に取り付けられる外付けの保護カバーガラスを含む。
【００２４】
図１（ｂ）はガラス素板を示す図である。ガラス基板１００は、大判のガラス素板１８０からエッチング処理によって分離される。詳しくは、大判のガラス素板１８０の両主表面にガラス基板１００の形状の加工パターン１８２（溝）を有する耐エッチング層１０２（レジスト層）を形成し、加工パターン１８２に沿ってガラス素板を溶解させることにより、電子機器用カバーガラスの形状のガラス基板１００をガラス素板１８０から分離する。
【００２５】
図１（ｃ）はエッチング処理によって分離した直後のガラス基板１００の部分断面図であり、図１（ａ）のＡ−Ａ断面図である。ガラス基板１００の上面と下面の両主表面には、耐エッチング層１０２が残留した状態である。ガラス基板１００の端面には、断面視において厚さ方向の略中央部分に凸部１０４が形成されている。この凸部１０４は、ガラス素板１８０の両面からエッチングした結果、ガラス基板１００が分離する際に最後に溶解した部分である。本実施形態では、凸部１０４の尖り高さＨが５０〜２００μｍとなっている。
【００２６】
なお、本実施形態のガラス基板１００のように両面エッチングするのではなく、例えば上方から片面のみをエッチングしてガラス基板１００を分離させてもよい。この場合には、凸部１０４はガラス基板１００の下面（エッチング面と反対側の面）付近に形成される。その場合においても本発明は全く同様に適用することができ、発明の利益を享受することができる。
【００２７】
図２は、ガラス基板１００の積層工程において、積層体１１０を形成する過程を説明する図である。まず、図２（ａ）に示すように、ガラス基板１００は厚さ方向に複数枚積層する（例えば積層枚数１０〜５０枚）。その後、図２（ｂ）に示すように、複数枚積層したガラス基板１００の厚さ方向の両端から、積層手段１０６によって積層方向の内向きに付勢する。この付勢により、積層された複数枚のガラス基板１００が固定され、支持されるため、積層体１１０が形成される。
【００２８】
本実施形態では、積層手段１０６は、積層体１１０の中央を中心軸として回転可能な軸部１１２と、軸部１１２の先端に設けられ積層体１１０に当接して押圧するためのフランジ部１１４とを備えて構成されている。軸部１１２が回転することで積層体１１０は回転することができる。
【００２９】
このように、厚さ方向の両端から付勢することで複数枚のガラス基板１００がまとまった積層体１１０をなしている。したがって、研磨工程終了後にその付勢を解除すれば、当該積層体１１０は複数枚のガラス基板１００に分離する。すなわち、ガラス基板１００の積層および積層したガラス基板１００の分離を容易に行うことができる。
【００３０】
ただし、エッチング処理によって外形加工をしたガラス基板は、端面に尖り形状が形成されるために外形の寸法精度が不安定である。またガラス基板の端面には、残留した耐エッチング層の端が突出している。これらのことから、複数枚のガラス基板を積層したとき正確な位置合わせが困難であり、図２（ｂ）に示すようにガラス基板同士が少しずつずれた状態で積層される。
【００３１】
図３は、研磨具２００によりガラス基板１００の積層体１１０を研磨する様子を説明する側面図である。図４は、図３の平面図である。これらの図に示されるように、研磨具２００は、弾性変形可能な研磨基体２０２と、研磨基体２０２の表面に設けられ研磨基体２０２とともに変形可能な研磨パッド２０４とを有する。
【００３２】
本実施形態において研磨具２００は、研磨基体２０２と研磨パッド２０４から構成される。研磨基体２０２は、可撓性を有し内部に導入される流体圧によって所定の円柱形に変形されるバルーン部材である。流体は空気などの気体であってもよいし、水などの液体であってもよい。研磨パッド２０４は研磨基体２０２の円柱形の側面に交換可能に貼着されている。
【００３３】
研磨基体２０２の材料としては、例えば天然ゴム、硬度が２０〜５０度の天然ゴムに近い合成ゴム（例えば、ＩＩＲ）またはゴム状樹脂が用いられる。研磨基体２０２の厚さは全体にわたって均一で、約０．５〜２ｍｍ（通常１ｍｍ程度の等厚）である。研磨基体２０２は、研磨する積層体１１０の大きさや外周形状に応じて複数種類用意することが好ましい。
【００３４】
研磨パッド２０４は、例えば発泡ポリウレタン、フェルト、または不織布等の繊維性の布や合成樹脂等を材料とする厚さ１ｍｍ程度のシート材によって形成されたものである。
【００３５】
本実施形態の研磨具２００は、積層体１１０と研磨パッド２０４の間に研磨液を供給して行う。研磨液には、研磨材である研磨砥粒を分散させた溶液状（遊離砥粒）のものを用いる。研磨砥粒としては、アルミナ、ダイヤモンドパウダー、酸化セリウム、コロイダルシリカ等のガラス基板の研磨に使用される砥粒であれば特に限定されないが、遊離砥粒としては、コロイダルシリカを用いるのが好ましい。
【００３６】
ここで図６に示すように、研磨具２００は研磨具固定部１１５によって支持されている。研磨具固定部１１５は、研磨具２００の略中央を中心軸として回転可能な軸部１１６と、軸部１１６の先端に設けられ研磨具２００を固定するフランジ部１１８とを、研磨具２００を挟んだ上下に対向する位置に備えて構成されている。研磨具固定部１１５の軸部１１６が回転することにより、研磨具２００が回転する。また研磨具固定部１１５は、被研磨面に対して離接方向に移動可能となっていて、一定の圧力で積層体１１０に付勢される。
【００３７】
上記構成の研磨具２００を用いることにより、図３に示すように、研磨基体２０２は積層体１１０の側面の形状に倣って、各ガラス基板１００の端面に同様の圧力で当接する。したがって各ガラス基板がずれた状態で積層されていても、それぞれのガラス基板の端面を加工ばらつきなく均一に平坦化することができる。
【００３８】
図４（ａ）〜図４（ｃ）のように、研磨具２００を用いて、積層体１１０の側面をなす複数枚のガラス基板１００の端面に対して、研磨パッド２０４を介して研磨基体２０２を当接させ、研磨基体２０２を回転させながらガラス基板１００の端面を研磨する。同時にガラス基板１００の積層体１１０を積層手段１０６とともにゆっくり回転させることにより、被研磨面を移動させながら積層体１１０の全周を研磨する。
【００３９】
研磨面はゆっくり回転する積層体１１０の外周形状によって離接方向に変位するが、上述したように研磨具固定部１１５が一定の圧力で付勢していることにより、研磨パッド２０４はこの前後運動に追随して研磨面に一定の圧力で当接する。なお、図４において破線で描かれた円形は、研磨具固定部１１５が一番外側に変位したときの基準位置を示している。また、研磨具２００を積層体１１０に対して一定の圧力で加圧するように支持するために、研磨具固定部１１５の軸部１１６の位置は固定しない。したがって、積層体と研磨具２００の１１６との距離に厳密な位置関係（制御）は不要であり、制御を容易にすることができるため、生産性を向上させることができる。
【００４０】
ここで、研磨面である積層体１１０の側面は、ガラス基板１００のずれによる凹凸を有する。しかし、研磨パッド２０４が貼着されている研磨基体２０２が弾性材料からなるために、図３に示すように、その凹凸の変位を吸収して各ガラス基板１００の端面に一定圧力で当接する。
【００４１】
図５はガラス基板１００の積層体１１０が研磨されていく過程を示す部分断面図であって、図５（ａ）は研磨開始時、図５（ｂ）は研磨終了時の様子を説明する図である。図５（ａ）に示されるように、研磨基体２０２および研磨パッド２０４が弾性変形し、積層体１１０の側面の形状に倣う（追随する）。このため、積層体１１０内の各ガラス基板１００の端面の凸部１０４（頂部）に均等に研磨作用が生じる。そして図５（ｂ）に示すように、各ガラス基板１００のずれはそのままに、各ガラス基板１００において同様に凸部１０４が研磨されて、各ガラス基板１００の端面が同様に平坦化される。
【００４２】
具体的には、研磨前の各ガラス基板１００の凸部１０４の尖り高さＨが５０〜２００μｍとなっていたが、研磨後には、各ガラス基板１００の凸部１０４が消滅し、尖り高さＨを２５〜１００μｍに半減させることができる。また、積層枚数を３０枚としたときに、研磨後の複数のガラス基板１００の尖り高さＨの個体間のばらつきの幅（尖り高さＨが最大の個体と最小の個体との差）が１０μｍ以下であり、複数のガラス基板１００に対する加工の均一性を向上させることができる。なお、特許文献２に示すような浸漬式のエッチング方法にて、積層枚数３０枚の積層体に対して同様の処理を行ったところ、尖り高さＨが５０〜２００μｍが４０〜１６０μｍであり、複数のガラス基板１００の尖り高さＨの個体間のばらつきの幅（尖り高さＨが最大の個体と最小の個体との差）が２０μｍ程度であった。
【００４３】
このように、本発明によれば、ガラス基板１００を複数枚積層した積層体１１０を研磨した際に、各ガラス基板１００同士に若干のずれ（不揃い）があったとしても、各ガラス基板１００の端面を加工ばらつきなくそれぞれ均一に平坦化することができる。
【００４４】
また、本実施形態では、ガラス基板１００の表面に耐エッチング層１０２を有した状態で積層体１１０を形成して研磨しているので、ガラス基板１００の表面が耐エッチング層１０２によって保護されている。そのため、端面を研磨する工程においてガラス基板１００の表面に傷がつくことを防止することができる。
【００４５】
なお、図６および図７に示されるように、研磨具２００を複数用いて、複数方向から同時にガラス基板１００の端面を研磨することも可能である。これにより、研磨時間を短縮することができる。
【００４６】
また、図６に示されるように、研磨具２００を粗研磨用として、さらに仕上げ研磨用の研磨具２２０を準備しておき、粗研磨用の研磨具２００を用いて粗研磨した後、予め待機させておいた仕上げ研磨用の研磨具２２０に交換して仕上げ研磨することも可能である。これにより、ガラス基板１００の端面の表面をより円滑に研磨することができる。
【００４７】
例えば、粗研磨用の研磨具２００では研磨材の遊離砥粒として酸化セリウムを用いる一方で、仕上げ研磨用の研磨具２２０では、酸化セリウムよりも微細な粒径のコロイダルシリカを用いることで研磨工程に適した研磨材を用いることが可能である。この場合、研磨具２００、２２０の研磨パッドは、それぞれの研磨材に適した材質のものにする。また、粗研磨用の研磨具２００の研磨基体２０２の圧力よりも仕上げ研磨用の研磨具２２０の研磨基体２０２の内圧や付勢力を低くしたり、研磨基体２０２のサイズや形状、曲率などの他のパラメータを調整したりすることも可能である。このような粗研磨と仕上げ研磨の研磨具を切り替えるためには、研磨パッド２０４を研磨基体２０２に対して交換する方法、研磨具２００を研磨具固定部１１５に対して交換する方法、および研磨具２００を備えた研磨具固定部１１５ごと交換または切り換える方法が可能である。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４９】
例えば、本実施形態では、ガラス基板１００の表面に耐エッチング層１０２を有した状態で研磨具２００を用いて研磨しているが、耐エッチング層１０２を有さない状態のガラス基板１００であっても積層体１１０を構成して研磨することができる。なおその場合、主表面に傷が入らないようにスペーサーを介することが好ましい。
【００５０】
本実施形態では、研磨材として遊離砥粒を用いたが、固定砥粒を含有する研磨パッドを用いてもよい。この固定砥粒について具体例を挙げるとすれば、アルミナ、アルミナ水和物、炭化珪素、ジルコニア、酸化チタン、シリカ、酸化セリウムのいずれか一つ、あるいは複数を含有してなるのが好ましい。
【産業上の利用可能性】
【００５１】
本発明は、携帯機器（携帯型電子機器）の表示画面のカバー部材として用いられる携帯機器用カバーガラスと、タッチセンサのカバー部材として用いられるタッチセンサ用カバーガラスとを含む電子機器用カバーガラスのガラス基板の製造方法として利用することができる。
【符号の説明】
【００５２】
１００…ガラス基板、１０２…耐エッチング層、１０４…凸部、１０６…積層手段、１１０…積層体、１１２…軸部、１１４…フランジ部、１１５…研磨具固定部、１１６…軸部、１１８…フランジ部、１８０…ガラス素板、１８２…加工パターン、２００…研磨具（粗研磨用の研磨具）、２０２…研磨基体、２０４…研磨パッド、２２０…仕上げ研磨用の研磨具
【図１】
2015063413.tif 000003
【図２】
2015063413.tif 000004
【図３】
2015063413.tif 000005
【図４】
2015063413.tif 000006
【図５】
2015063413.tif 000007
【図６】
2015063413.tif 000008
【図７】
2015063413.tif 000009